(57)【要約】      （修正有）【課題】外観がスマートで、着衣の上に装着でき、茶道用ポケットと収納・保持する袱紗ばさみを提供する。【解決手段】袱紗ばさみは、長手方向の中央部で開閉可能に二つ折が可能で、閉じた状態においての残りの３片に連続して付けた１本のファスナーにより、二つ折り状態または、開いた状態に変化させることができる。二つ折り状態において内面側に茶道用ポケット１３を収納、固定するための金具を有している。また、茶道用ポケットは、側面に開口部を設けた裏側ポケットと、側面側に斜めの左開口部１４１と上方に開口部にもつ収納部１４を持ち、裏面に前記袱紗ばさみに固定するための固定金具と、上方に身体に固定するための紐１７を有している。【選択図】図２
0003190320.tif 000002
【実用新案登録請求の範囲】
【請求項１】
長手方向の中央部で開閉可能に二つ折が可能でり、閉じた状態において残りの3片に連続して付けた１本のファスナーにより、二つ折り状態または、開いた状態にに変化させることが可能であり、二つ折り状態における内面側に茶道用ポケットを固定するための金具を有していることを特徴とする袱紗ばさみ
【請求項２】
前記茶道用ポケットは、側面に開口部を設けた裏側ポケットと、側面側に斜めの左開口部と上方の開口部もつ収納部を持ち、裏面に前記袱紗ばさみに固定するための固定金具と、上方に身体に固定するための紐を付けたことを特徴とする請求項１に記載の袱紗ばさみ
【考案の詳細な説明】
【技術分野】
【０００１】
本考案は、外観的にスマートな形で使用者の着衣の上に装着することができる茶道用ポケットを収納、保持する袱紗ばさみに関するものである。
【背景技術】
【０００２】
茶の湯を楽しんだり、茶道の稽古をする際には、袱紗、古袱紗、懐紙、等の小物が必要であり、これらを収納する袱紗ばさみが必要である。茶の湯が催される場合には、女性の多くは和服を着用しているので、前記小物は帯の間に挟んだり和服の懐や袂に入れることができる。しかし洋服の場合は、小物を収納するのに困ることが多い。この解決策として、登録実用新案第３００２１６２号公報に示されたような茶道用の前当てが使われている。
【先行技術文献】
【特許文献】
【０００３】
【特許文献１】登録実用新案第３００２１６２号
【考案の概要】
【考案が解決しようとする課題】
【０００４】
しかし市販の茶道用の前当ては、これを使用者の腹部付近に位置させるために、長い紐を背中でたすき掛け状に結ぶようになっており、洋服の上に着けるには違和感がある。
【課題を解決するための手段】
【０００５】
本考案は、前述した茶道用の前当ての持つ問題を解決するために行ったもので、外観的にスマートに使用者の着衣の上に装着することのできる茶道用ポケット、およびその茶道用ポケットを収納、保持するための袱紗ばさみの提供を目指したもので、
第１の考案は、長手方向の中央部で開閉可能に二つ折が可能であり、閉じた状態において残りの3片に連続して付けた１本のファスナーにより、二つ折り状態または、開いた状態にに変化させることが可能であり、二つ折り状態において内面側に茶道用ポケットを収納、固定するための金具を有している袱紗ばさみである。
【０００６】
また、第２の考案は、第１の考案において、前記茶道用ポケットは、側面に開口部を設けた裏側ポケットと、側面側に斜めの左開口部と上方の開口部をもつ収納部を持ち、裏面に前記袱紗ばさみに固定するための固定金具と、上方に身体に固定するための紐を有している。
【考案の効果】
【０００７】
本考案の茶道用ポケットは素材を吟味し、ウェストにフィットさせファッション性を高めた。同様の布地でできた袱紗ばさみは、袱紗、古袱紗を小さくたたまなくてよい大きさであるが、従来の外形とあまり変わらないので使い勝手が良いものになっている。
【０００８】
また、本考案の茶道用ポケットを着けることにより、洋装時における茶道の所作がスムーズになり、点前の手つきがほぼ正確に学べるようになる。お稽古ばかりでなくお茶会にも使用でき、フッション性があるので携帯にかさばらない。この茶道用ポケットを使うことにより、洋装時の茶道の所作の不便さが解消される。
【０００９】
また、小ぶりで形状がシンプルであることから、その日のファッションの邪魔をしない。袱紗ばさみは従来の外形とあまり変わらないので、使用の際違和感がない。また、袱紗、古袱紗を小さくたたまないで収納できる大きさになっているので、袱紗、古袱紗がしわになるのを防ぐ。クッション性もあるため、持ち運び、携帯に適している。
【図面の簡単な説明】
【００１０】
【図１】本考案の袱紗ばさみを開いた状態の内側を示す図
【図２】本考案の袱紗ばさみの内部に収納、固定する 茶道用ポケットの表面を示す図
【図３】本考案の袱紗ばさみの内部に収納、固定する 茶道用ポケットの裏面を示す図
【図４】茶道用ポケットを着けた状態を示す図
【図５】本考案の袱紗ばさみの内側(開いた状態)を示す写真
【図６】本考案の袱紗ばさみの外側(開いた状態)を示す写真
【図７】本考案の袱紗ばさみに本考案の茶道用ポケットを入れて固定した写真（開いた状態であり、この状態より２つ折りにしてファスナーで閉める。）
【図８】本考案の袱紗ばさみに本考案の茶道用ポケットを入れ固定し、２つ折りにしてファスナーで閉めた状態を示す写真
【図９】本考案の茶道用ポケットの表面（着けた場合の前面側）示す写真
【図１０】本考案の茶道用ポケットの裏面（着けた場合の体側）示す写真
【考案を実施するための形態】
【実施例】
【００１１】
図１に本考案の袱紗ばさみ１を開いた状態の内側を示す。茶道用ポケットや、小物を収納する場合は、図に示した中央部（一点鎖線で示す）２より折り曲げて３辺３、４，５の周囲をファスナーで合わせて、収納物が外に出ないようにする。ファスナーの始点（閉める時）６は図の左側、ファスナーの終点（閉める時）７は図の右側である。８、８１は、袱紗や古袱紗を挟む固定ひもである。９はソックス、指輪、時計等を入れるためのポケットの入口（開口部）である。指輪、時計等は、図において下方より上方方向に入れる。１０は扇子を入れるポケットであり、ポケット入口１１は図において左側にあり、扇子を図において左方向より差し込む。ファスナーの始点（閉める時）６を左側にしているため、扇子を取り出すためには、ファスナーを全開する必要があり、安易な落下を防止する効果がある。
【００１２】
なお、この図においては、ファスナーの始点（閉める時）６と扇子を入れるポケット入口１１は、ともに左側としているが、ともに右側であっても良い。（同一の側にする）
【００１３】
破線で示した１２は、茶道用ポケット１３を固定する位置を示したものである。１３１は茶道用ポケット１３を固定するための固定金具である。袱紗ばさみ１の外面（図における裏面）は、図６に示すようにフラットな面であるが、装飾のための絵柄を付けても良い。
【００１４】
図２に袱紗ばさみ１の内部に固定する(入れる) 茶道用ポケット１３を示した。この図においては、着けた場合の外側（前面側、他の人から見える側）を示している。１４は懐紙、袱紗、古袱紗をいれるための収容部である。この収容部１４は、上側と左側が開けてあり、左開口部１４１は斜めになっている。この左開口部１４１および上側より、右手が入る。この茶道用ポケットは、和装時において、懐紙、袱紗、古袱紗を入れる打ち合わせと、袂の役割をするものである。１７は身体に固定するための紐である。
【００１５】
図３に茶道具入れ１３の裏面を示した。１３２は先の図１に示した袱紗ばさみの固定金具１３１に接合するための金具であり、１３１と１３２で茶道用ポケット１３は袱紗ばさみ１の内部に固定される。
茶道用ポケット１３の使用は、袱紗ばさみ１より取り出し、紐１７により、体の前方、やや左側（身体側から見て）ウエストに固定する。左開口部１４１および上方より、袱紗、古袱紗、懐紙を縦の固定ベルト１６に挟む。裏側（身体側、後方）のポケット１５は小茶巾入れ、使用済の懐紙などを入れるもので、和装時の袂にあたる。
【００１６】
図４に茶道用ポケット１３を着けた状態を示した。袱紗ばさみ１より取り出さして、身体の前面，やや左側（身体側から見て）にくるように、紐１７で固定する。図示したように左開口部１４１および上方より右手を差し込んで、袱紗、古袱紗、懐紙等を取り出す。裏側ポケット１５には、小茶巾入れ、使用済の懐紙などを入れる。
【００１７】
図５に、本考案の外観を示す。袱紗ばさみ１（内面）を示している。袱紗ばさみ１は中央部で折り曲げて外周部（黒い部分）のファスナーで3辺を合わせてとじることができる。袱紗ばさみ１の2個の留め金具１３１と、茶道用ポケット１３の2個の留め金具１３２を結合させて、茶道用ポケット１３を袱紗ばさみ１に固定する。
【００１８】
図６に、本考案の袱紗ばさみ１の外面を示す。
【００１９】
図７は、本考案の袱紗ばさみ１に本考案の茶道用ポケット１３を入れて固定した写真（開いた状態であり、この状態より２つ折りにしてファスナーで閉める）である。
【００２０】
図８は、本考案の袱紗ばさみ１に本考案の茶道用ポケット１３を入れて固定した写真（閉じた状態）である。
【００２１】
図９に茶道用ポケット１３を表面側より見た外観を示す。上方（紐１７を通した側）近くの黒い帯は装飾である。その下方のくの字型の帯は袱紗、古袱紗、懐紙を収納する部分１４の入り口である。写真では明かでないが、左側に裏側ポケット１５の入り口を設けている。
【００２２】
図１０に、茶道用ポケット１３の裏面を示した。上方（紐１７を通した側）近くに２個の固定金具１３２をつけている。
【符号の説明】
【００２３】
１      袱紗ばさみ
２      袱紗ばさみの中央部
３      袱紗ばさみの外周辺１
４      袱紗ばさみの外周辺２
５      袱紗ばさみの外周辺３
６      袱紗ばさみのファスナーの始点
７      袱紗ばさみのファスナーの終点
８      袱紗、古袱紗、懐紙を挟む固定ひも１
８１    袱紗、古袱紗、懐紙を挟む固定ひも２
９      ソックス、指輪、時計等を入れるためのポケットの入口（開口部）。１０    扇子を入れるポケット
１１    扇子を入れるポケット入口
１２    茶道用ポケットを固定する位置
１３    茶道用ポケット
１３１  茶道用ポケットを袱紗ばさみに固定するための固定金具（袱紗ばさ  み側）
１３２  茶道用ポケットを袱紗ばさみに固定するための固定金具（茶道用ポケット側）
１４    袱紗、古袱紗、懐紙を入れるための収納部
１４１  袱紗、古袱紗、懐紙を入れるための収納部の開口部
１５    裏側ポケット１５
１６    縦の固定ベルト
１７    身体に固定するための紐である。
【図１】
0003190320.tif 000003
【図２】
0003190320.tif 000004
【図３】
0003190320.tif 000005
【図４】
0003190320.tif 000006
【図５】
0003190320.tif 000007
【図６】
0003190320.tif 000008
【図７】
0003190320.tif 000009
【図８】
0003190320.tif 000010
【図９】
0003190320.tif 000011
【図１０】
0003190320.tif 000012
【手続補正書】
【提出日】平成26年2月14日(2014.2.14)
【手続補正１】
【補正対象書類名】実用新案登録請求の範囲
【補正対象項目名】請求項２
【補正方法】変更
【補正の内容】
【請求項２】
側面に開口部を設けた裏側ポケットと、側面側に斜めの左開口部と上方の開口部をもつ収納部を持ち、裏側に前記袱紗ばさみに固定するための固定金具と、上方に身体に固定するための紐を付けた前記茶道用ポケットを、前記茶道用ポケットを固定するための金具に固定したことを特徴とする請求項１に記載の袱紗ばさみ。